(57)【要約】【課題】従来のロールペーパーホルダーは、片手では切断が難しく、切断後にペーパーの切り口がロールに密着して次のペーパー引き出しに不便がある。  この課題を解決する装置を提供する。  【解決手段】  ロールペーパー１８を支持するホルダーの下側に設置される装置であって、略長方形の枠体で成るボックス本体１と、該ボックス内に設けた回動自在の振り子板１２の上辺の振り子板挟持部１０と、下辺に重りを備え回転自在なバルブ板１７の上辺のバルブ板挟持部１４とで、引き出されるペーパー１８を挟持して、適宜長さを前板のペーパーカッター１９で切断すると同時に、ペーパー１８がボックス本体１の下に残存する構造としたロールペーパー引き出し切断ボックス。【選択図】  図１
2019017484.tif 000002
【特許請求の範囲】
【請求項１】
ロールペーパーを支持するホルダーの下側に設置される装置であって、
略直方体の枠体で成るボックス本体１と、正面視で該ボックス本体１内の後ろ側に設けた、上辺に振り子板挟持部１０を備え下辺に左右方向の軸１１を備え、該軸１１回りに回動自在な振り子板１２と、  
前記振り子板１２の前側に設けられ、上辺にバルブ板挟持部１４を備え、下辺に重りを備えたバルブ板下辺１５を備え、略中央に左右方向の軸１６を備えた、該軸１６回りに回動自在なバルブ板１７と、
ボックス本体１の前板２に設けたペーパーカッター１９で構成され、
前記振り子板挟持部１０とバルブ板挟持部１４とで前記ホルダーから垂下したペーパー１８を挟持して、適宜長さのペーパーを、前記ペーパーカッター１９で切断し、
同時にペーパー１８が一定の長さで、ボックス本体１の下に残存することを特徴とするロールペーパー引き出し切断ボックス。
【発明の詳細な説明】
【技術分野】
【０００１】
本発明は、ロールペーパーホルダーに関するものである。
【背景技術】
【０００２】
従来のロールペーパーホルダーは、収納したペーパーを適宜の長さに引き出して切断し、ペーパーの切断後にある程度の長さのペーパーをホルダーケース外に残存させる構成のものが開示されている（例えば、特許文献1参照）。
【先行技術文献】
【特許文献】
【０００３】
【特許文献１】特許４４１５０６４号  公報
【発明の概要】
【発明が解決しようとする課題】
【０００４】
従来のロールペーパーホルダーは、収納したペーパーを片手で適宜の長さに引き出して切断する時に、もう片方の手でホルダーケースの上蓋でロールを押さえてペーパーの引き出しを止めて、上蓋に備えたカッターで切断する構造が一般に普及しているが、両手が使えない場合の切断は難しかった。
また、ペーパーの切断時にロールを押圧して切断するために、ペーパーの切り口が上蓋の下でロールに密着して、次にペーパーを引き出すのに苦労する。  
【０００５】
ペーパー切断後にペーパーを残存させる方法として、前記、特許文献１（トイレットペーパーホルダー）が開示されているが、ペーパーの切断後にカッター刃とペーパーの切断口を引き離す手段が見当たらないので、カッター刃が引き出し口に戻る時にペーパーも一緒に戻されて、ホルダーケース外に残存しない可能性がある。
本発明は上記の課題を解決しようとするものである。
【課題を解決するための手段】
【０００６】
前記課題を解決するため、本発明は、ロールペーパーを支持するホルダーの下側に設置される装置であって、略直方体の枠体で成るボックス本体１と、正面視で該ボックス本体１内の後ろ側に設けた、上辺に振り子板挟持部１０を備え下辺に左右方向の軸１１を備え、該軸１１回りに回動自在な振り子板１２と、前記振り子板１２の前側に設けられ、上辺にバルブ板挟持部１４を備え、下辺に重りを備えたバルブ板下辺１５を備え、略中央に左右方向の軸１６を備えた、該軸１６回りに回動自在なバルブ板１７と、ボックス本体１の前板２に設けたペーパーカッター１９で構成され、前記振り子板挟持部１０とバルブ板挟持部１４とで前記ホルダーから垂下したペーパー１８を挟持して、前記ペーパーカッター１９で切断し、同時にペーパー１８がボックス本体１の下に一定の長さで残存することを特徴とするロールペーパー引き出し切断ボックスとする。
【発明の効果】
【０００７】
1．本発明のロールペーパー引き出し切断ボックスは、現在使用しているトイレットペーパーホルダーに連結することで、片手が使えない人や老人.子供が容易に使用できて、また、ホルダーの交換や廃棄による資源や費用の無駄を省くと共に、製造に特殊な部材や技術を必要としないので製造コストを低く抑えられる
２. 同切断ボックスは、従来のペーパーホルダーに連結するとペーパーを引き出し切断する過程で、ホルダー内のロールペーパーが無くなるまで引き出すペーパー以外に、一切、手を触れる必要がなく衛生的な仕様である
３. 同切断ボックスは前記の通りに衛生的であり、一般住宅に限らず会場や病院等の不特定多数が利用する施設に適する
4. 同切断ボックスは、ロールの巻き向きの前後に対応する
【図面の簡単な説明】
【０００８】
【図１】本発明のロールペーパー引き出し切断ボックスの斜視図
【図２】同切断ボックスの正面図
【図３】右側の側板を外して内部を見た説明図
【図４】引き出し口とペーパーの垂下過程を示した説明図
【図５】ペーパーの引き出し過程を示した説明
【図６】ペーパーの切断過程を示した説明図
【図７】ペーパーの残存過程を示した説明図
【図８】ボックスとペーパーホルダーの連結図
【発明を実施するための形態】
【０００９】
以下、本発明の形態を図１〜図８に基づいて説明する。
本発明のロールペーパー引き出し切断ボックスは、図８に示すように、ロールペーパー２４を支持するロールペーパーホルダー２３の下側に設置される装置である。
ロールペーパー引き出し切断ボックスは、図１に示すように、前板２と背板３を内側板６と外側板９で挟んで、天板４と底板５を取り付けた、略直方体の枠体であって、
天板４と底板５で形態を安定させて、左右の側板は外側板９と内側板６で成る二重構造とするのが好ましい。
正面視で、該ボックス内の後ろ側に、上辺に振り子板挟持部１０を備え、下辺に軸１１を備えた振り子板１２を設け、軸１１は左右方向に軸端が内側板６に軸支される。
その両端に軸回し摘まみ１３を取り付けている。
【００１０】
振り子板挟持部１０は軸１１に平行で概略ペーパーの幅とし、ロールペーパーホルダー２３から引き出されるペーパー１８に対応して挟持する部分の断面は円弧状とする。
振り子板１２は軸１１周りで回動自在とする。この時振り子板挟持部１０の両端は、図３，図４に示すように、波状に切り欠いた内側板６の前方に当接して振り子板挟持設定部７で停止する。後方には背板３に当接して停止する。
【００１１】
つぎに、該ボックス内の前記振り子板１２の前側に、上辺にバルブ板挟持部１４を備え、下辺に重りを有する振り子式のバルブ板下辺１５と略中央に左右方向の軸１６を備えたバルブ板１７を設け、軸１６は左右方向に両端が内側板６に軸支され回動自在とする。バルブ板挟持部１４は軸１６に平行で概略ペーパー幅とし、バルブ板挟持部１４の軸方向断面はペーパー１８に接する部分は円弧形に形成する。
つぎに、ボックス本体１の前板２に下向きにペーパーカッター１９を設ける。
振り子板挟持部１０とバルブ板挟持部１４とで前記ホルダーのロールペーパー２４から垂下したペーパー１８を挟持して、ボックス本体１の前板２に設けたペーパーカッターで切断する。
【００１２】
以下、上記構成の動作を説明する。
図１は、ボックス本体を斜めから見た形体である。図２は、ボックス本体を正面から見た形体である。
図３は、ボックス本体１の、前板２と背板３、及び、内側板６外側板９と振り子板１２と振り子式のバルブ板１７とペーパーカッター１９の位置を示している。
図３で、バルブ板１７は重りにより垂直な状態、振り子板１２の上辺の振り子板挟持部１０は背板３に当接していて振り子板落とし口設定部８の位置の状態にあって、この間は開けたペーパー落し口２０となる。
図３、図４に示すように、ボックス本体１の上面と下面の開放口を上部開放口A、下部開放口Bとしている。
【００１３】
従来の両手を使うロールペーパーホルダー ２３に支持されたロールペーパー２4から下がってくるペーパー１８を、前記ペーパー落とし口２０を通して、ペーパー１８の先端を摘まめる長さに垂下させて、振り子板１２の軸回し摘まみ１３を指で回して、図４に示すように、振り子板挟持部１０が振り子板挟持設定部７に位置した状態とする。この時の状態をペーパー引き出し口２１とする。
【００１４】
引き出し口２１の下に垂下するペーパー１８が、該ボックスの前方に引き出される時に、図５、図６に示すように、ペーパー１８が振り子式のバルブ板下辺１５に密接してバルブ板１７が回動して、バルブ板挟持部１４でペーパー引き出し口２１を狭めてロールペーパー２４の回転を制御して、切断する時は、ペーパー１８が振り子板挟持部１０とバルブ板挟持部１４に挟まれて固定される。
【００１５】
ペーパー１８を切断すると同時に、振り子式のバルブ板下辺１５が切断後のペーパー１８に密接したまま、振り子の作用でペーパー引き出し口２１の立ち位置に戻る時にペーパーカッター１９のカッター刃から引き離して、一定の長さを残存ペーパー２２として該ボックス本体１の下部開放口B下に垂下する様態を図７に示している。
【符号の説明】
【００１６】
１    ボックス本体
２    前板
３    背板
４    天板
５    底板
６    内側板
７    振り子板挟持設定部
８    振り子板落とし口設定部
９    外側板
１０  振り子板挟持部        
１１  軸
１２  振り子板
１３  軸回し摘まみ
１４  バルブ板挟持部
１５  バルブ板下辺
１６  軸
１７  バルブ板
１８  ペーパー
１９  ペーパーカッター
２０  ペーパー落とし口
２１  ペーパー引き出し口
２２  残存ペーパー
２３  ロールペーパーホルダー
２４  ロールペーパー
Ａ    上部開放口
Ｂ    下部開放口
【図１】
2019017484.tif 000003
【図２】
2019017484.tif 000004
【図３】
2019017484.tif 000005
【図４】
2019017484.tif 000006
【図５】
2019017484.tif 000007
【図６】
2019017484.tif 000008
【図７】
2019017484.tif 000009
【図８】
2019017484.tif 000010